(57)【要約】【課題】仮設足場本体から水平方向に張り出した作業床を高いところにも形成できるようにする。【解決手段】仮設足場用部材１０は、仮設足場本体を構成する本体側支柱に連結され、水平方向に延びるように設けられる横部材１１と、横部材の先端部に設けられ、作業床となる床板を横部材１１から上方に離して支持可能な側部支柱の下部が連結される連結部材１４とを備えている。【選択図】図１
2019112891.tif 000002
【特許請求の範囲】
【請求項１】
仮設足場を構築する仮設足場用部材において、
仮設足場本体を構成する本体側支柱に連結され、該仮設足場本体から水平方向に延びるように設けられる横部材と、
上記横部材の先端部に設けられ、作業床となる床板を上記横部材から上方に離して支持可能な側部支柱の下部が連結される連結部とを備えていることを特徴とする仮設足場用部材。
【請求項２】
請求項１に記載の仮設足場用部材において、
上記横部材は、上記本体側支柱に連結されて上記仮設足場本体から水平方向に延びる固定部材と、該固定部材に対して水平方向に移動可能に取り付けられ、該固定部材の先端部から突出する可動部材とを備え、
上記可動部材における上記固定部材の先端部から突出する部分に上記連結部が固定されていることを特徴とする仮設足場用部材。
【請求項３】
請求項２に記載の仮設足場用部材において、
上記固定部材は、上記仮設足場本体から水平方向に延びる管部材で構成され、
上記可動部材は、上記固定部材に差し込まれる管部材で構成されていることを特徴とする仮設足場用部材。
【請求項４】
請求項２または３に記載の仮設足場用部材において、
上記固定部材には、上下方向に延びる第１補強部材が固定され、
上記第１補強部材の下端部は、上記本体側支柱における上記固定部材の連結部位よりも下方の部位に連結されることを特徴とする仮設足場用部材。
【請求項５】
請求項４に記載の仮設足場用部材において、
上記第１補強部材には、上記固定部材よりも下方に位置付けられるとともに、該固定部材と略平行に延びる下側固定管部材が固定され、
上記下側固定管部材に対して水平方向に移動可能に取り付けられ、該下側固定管部材の先端部から突出する下側可動管部材が設けられ、
上記下側可動管部材における上記下側固定管部材の先端部から突出する部分に上記連結部が固定されていることを特徴とする仮設足場用部材。
【請求項６】
請求項５に記載の仮設足場用部材において、
上記連結部は上下方向に延びる管部材で構成され、
上記連結部における上記可動部材の固定部位よりも下方の部位に上記下側可動管部材が固定されていることを特徴とする仮設足場用部材。
【請求項７】
請求項６に記載の仮設足場用部材において、
上記連結部における上記下側可動管部材の固定部位よりも下方の部位に上下方向に延びる第２補強部材が連結され、
上記第２補強部材の下端部は、上記第１補強部材に連結されることを特徴とする仮設足場用部材。
【請求項８】
請求項７に記載の仮設足場用部材において、
上記第２補強部材は、上記連結部に対して水平方向に延びる軸周りに揺動可能に連結され、
上記第２補強部材の下端部には、上記第１補強部材をクランプするクランプ部材が水平方向に延びる軸周りに揺動可能に連結されることを特徴とする仮設足場用部材。
【請求項９】
請求項２から８のいずれか１つに記載の仮設足場用部材において、
上記可動部材が上記固定部材に対して水平方向に移動するのを阻止する阻止部材を備えていることを特徴とする仮設足場用部材。
【請求項１０】
請求項９に記載の仮設足場用部材において、
上記阻止部材は、上記固定部材に設けられたネジ孔に螺合することによって進退動作する雄ネジ部材で構成され、
上記雄ネジ部材は、進出状態で該雄ネジ部材の先端部が上記可動部材の外面に当接して該可動部材の水平方向の移動を阻止する一方、後退状態で該雄ネジ部材の先端部が上記可動部材の外面から離間して該可動部材の水平方向の移動を許容することを特徴とする仮設足場用部材。
【発明の詳細な説明】
【技術分野】
【０００１】
本発明は、例えば、各種建築物の建築現場や補修現場、土木作業現場等で構築される仮設足場を構成する仮設足場用部材に関し、特に仮設足場の本体部分から水平方向に張り出すように張り出し仮設足場を構築する場合に使用される仮設足場用部材に関する。
【背景技術】
【０００２】
一般に、各種建築物の建築現場や補修現場、土木作業現場等では、作業を行うための仮設足場が構築される。仮設足場は、複数の支柱部材、支柱部材を連結する布材やブレース材、梁部材、床板等を組み合わせて構築されている（例えば、特許文献１〜５参照）。
【０００３】
特許文献４の仮設足場は、梁部材の長手方向と交差する方向に延び、梁部材から前後方向に突出するように設けられた複数本の根太部材と、複数本の根太部材に渡って掛け渡される床板とを有している。
【０００４】
特許文献５には、仮設足場本体から水平方向に張り出すように設置される張り出しブラケットが開示されている。張り出しブラケットは、水平部材と、水平部材の基端部に設けられたクサビと、水平部材の先端部に設けられたホゾと、水平部材のホゾ側からクサビ側に向けて下降傾斜した補強材とを備えている。ホゾには上下方向に延びる分岐用支柱が結合されている。クサビが結合される支柱と分岐用支柱と繋ぐように手すりが設けられている。
【先行技術文献】
【特許文献】
【０００５】
【特許文献１】特開２０１１−１１１８８８号公報
【特許文献２】特開２０１３−１２４５４１号公報
【特許文献３】特開２０１６−５６６２１号公報
【特許文献４】特開２０１７−８９１２８号公報
【特許文献５】特開２００２−６１３８５号公報
【発明の概要】
【発明が解決しようとする課題】
【０００６】
ところで、例えば図６に示す高架橋１００は、レール等が敷設される橋桁部１０１と、橋桁部１０１の側部に設けられた側壁部１０２とを備えており、この高架橋１００を補修等する場合には、一般的に、同図に示すように橋桁部１０１の下方に仮設足場１を構築することになる。
【０００７】
仮設足場１を橋桁部１０１の下方に構築することで、橋桁部１０１の下面の補修等は可能であるが、側壁部１０２の外面の補修等が問題になる。すなわち、仮設足場１の幅を基礎部分から上部に亘って全体として拡張し、側壁部１０２の外面に達するような大型の仮設足場にすることで、側壁部１０２の外面に対する補修等が行えるようになるが、そのような大型の仮設足場を構築するためには多くの資材が必要になるとともに、工数も増大してしまう。また、現場の状態によっては仮設足場の基礎部分の幅を拡張できない場合も想定される。よって、側壁部１０２については、吊り下げ式の仮設足場等を別途構築しなければならなかった。
【０００８】
ここで、特許文献４では、梁部材から前後方向に突出するように設けられた複数本の根太部材に渡って床板を掛け渡すようにしており、これによって仮設足場本体から水平方向に張り出す作業床を得ることができるようになっている。しかしながら、高架橋１００の側壁部１０２の高さが高い場合には、単に作業床が水平方向に張り出しているだけでは高さが足りないという問題がある。
【０００９】
また、特許文献５では、張り出しブラケットを設けることで、仮設足場本体から水平方向に張り出す作業床を得ることができると考えられる。しかしながら、この特許文献５も特許文献４と同様に単に作業床が水平方向に張り出しているだけなので、高さの問題がある。
【００１０】
上述したような問題は高架橋１００だけのものではなく、他の建築物の建築現場や補修現場、土木作業現場等でも起こり得る。
【００１１】
本発明は、かかる点に鑑みてなされたものであり、その目的とするところは、仮設足場本体から水平方向に張り出した作業床を高いところにも形成できるようにすることにある。
【課題を解決するための手段】
【００１２】
上記目的を達成するために、本発明では、仮設足場本体から水平方向に延びるように設けられる横部材の先端部に、作業床となる床板を支持する支柱を連結可能にした。
【００１３】
第１の発明は、仮設足場を構築する仮設足場用部材において、仮設足場本体を構成する本体側支柱に連結され、該仮設足場本体から水平方向に延びるように設けられる横部材と、上記横部材の先端部に設けられ、作業床となる床板を上記横部材から上方に離して支持可能な側部支柱の下部が連結される連結部とを備えていることを特徴とする。
【００１４】
この構成によれば、横部材を仮設足場本体の本体側支柱に連結することで、横部材が仮設足場本体から水平方向に延びるように設けられる。この横部材の先端部の連結部には側部支柱の下部が連結される。側部支柱には、床板を横部材から上方に離した状態で支持することが可能である。従って、本発明の仮設足場用部材を使用することで、仮設足場本体から水平方向に張り出した作業床を、仮設足場本体よりも高いところに形成することが可能になるので、例えば高架橋の補修等を行う際には、仮設足場本体の幅を拡張することなく、本発明の仮設足場用部材、側部支柱及び床板を使用して側壁部の外面に対して作業可能な高さの作業床が容易に得られる。
【００１５】
第２の発明は、第１の発明において、上記横部材は、上記本体側支柱に連結されて上記仮設足場本体から水平方向に延びる固定部材と、該固定部材に対して水平方向に移動可能に取り付けられ、該固定部材の先端部から突出する可動部材とを備え、上記可動部材における上記固定部材の先端部から突出する部分に上記連結部が固定されていることを特徴とする。
【００１６】
この構成によれば、固定部材を仮設足場本体の本体側支柱に連結すると、可動部材の先端部が固定部材の先端部から突出した状態になり、可動部材の先端部に側部支柱の下部が連結部を介して連結されることになる。可動部材は固定部材に対して水平方向に移動可能に取り付けられているので、可動部材を移動させることで連結部を水平方向に移動させることが可能になる。よって、作業床の位置の設定自由度が向上する。
【００１７】
第３の発明は、第２の発明において、上記固定部材は、上記仮設足場本体から水平方向に延びる管部材で構成され、上記可動部材は、上記固定部材に差し込まれる管部材で構成されていることを特徴とする。
【００１８】
この構成によれば、固定部材及び可動部材を管部材で構成することにより、コストが低減される。また、可動部材を固定部材に差し込んだ状態で水平方向に容易に移動させることが可能になる。
【００１９】
第４の発明は、第２または３の発明において、上記固定部材には、上下方向に延びる第１補強部材が固定され、上記第１補強部材の下端部は、上記本体側支柱における上記固定部材の連結部位よりも下方の部位に連結されることを特徴とする。
【００２０】
この構成によれば、固定部材が第１補強部材によって下方から支持されて補強される。
【００２１】
第５の発明は、第４の発明において、上記第１補強部材には、上記固定部材よりも下方に位置付けられるとともに、該固定部材と略平行に延びる下側固定管部材が固定され、上記下側固定管部材に対して水平方向に移動可能に取り付けられ、該下側固定管部材の先端部から突出する下側可動管部材が設けられ、上記下側可動管部材における上記下側固定管部材の先端部から突出する部分に上記連結部が固定されていることを特徴とする。
【００２２】
この構成によれば、連結部が横部材と第１補強部材とに固定されることになるので、連結部の強度が向上する。
【００２３】
第６の発明は、第５の発明において、上記連結部は上下方向に延びる管部材で構成され、上記連結部における上記可動部材の固定部位よりも下方の部位に上記下側可動管部材が固定されていることを特徴とする。
【００２４】
この構成によれば、連結部における上下方向に離れた部位に可動部材及び下側可動管部材が固定されることになるので、連結部の傾動が抑制される。
【００２５】
第７の発明は、第６の発明において、上記連結部における上記下側可動管部材の固定部位よりも下方の部位に上下方向に延びる第２補強部材が連結され、上記第２補強部材の下端部は、上記第１補強部材に連結されることを特徴とする。
【００２６】
この構成によれば、連結部が第２補強部材によって下方から支持されて補強される。
【００２７】
第８の発明は、第７の発明において、上記第２補強部材は、上記連結部に対して水平方向に延びる軸周りに揺動可能に連結され、上記第２補強部材の下端部には、上記第１補強部材をクランプするクランプ部材が水平方向に延びる軸周りに揺動可能に連結されることを特徴とする。
【００２８】
この構成によれば、可動部材及び下側可動管部材を水平方向に移動させて連結部の位置を変更する際に、第２補強部材を揺動させることで連結部の位置の変更の自由度が向上する。そして、クランプ部材が第１補強部材をクランプすることで、第２補強部材の下端部がクランプ部材を介して第１補強部材に連結される。
【００２９】
第９の発明は、第２から８のいずれか１つの発明において、上記可動部材が上記固定部材に対して水平方向に移動するのを阻止する阻止部材を備えていることを特徴とする。
【００３０】
この構成によれば、可動部材を水平方向に移動させて連結部の位置を調整した後に、阻止部材によって可動部材が水平方向に移動しないようにすることが可能になるので、連結部が所定の位置で位置決めされる。
【００３１】
第１０の発明は、第９の発明において、上記阻止部材は、上記固定部材に設けられたネジ孔に螺合することによって進退動作する雄ネジ部材で構成され、上記雄ネジ部材は、進出状態で該雄ネジ部材の先端部が上記可動部材の外面に当接して該可動部材の水平方向の移動を阻止する一方、後退状態で該雄ネジ部材の先端部が上記可動部材の外面から離間して該可動部材の水平方向の移動を許容することを特徴とする。
【発明の効果】
【００３２】
第１の発明によれば、仮設足場本体を構築する本体側支柱に連結されて水平方向に延びるように設けられる横部材の先端部に、作業床となる床板を横部材から上方に離して支持することができる側部支柱の下部を連結するようにしたので、仮設足場本体から水平方向に張り出した作業床を高いところにも形成することができる。
【００３３】
第２の発明によれば、仮設足場本体の本体側支柱に連結される固定部材に対して水平方向に移動可能に取り付けられる可動部材の先端部に連結部を固定したので、作業床の位置の設定自由度を向上させることができる。
【００３４】
第３の発明によれば、管部材からなる固定部材に対して管部材からなる可動部材を差し込むことで、低コスト化を図ることができるとともに、可動部材を固定部材に対して容易に水平方向に移動させることができる。
【００３５】
第４の発明によれば、固定部材に第１補強部材を固定することで、横部材の変形を抑制することができる。
【００３６】
第５の発明によれば、連結部を横部材と第１補強部材とに固定することができるので連結部の強度を向上させることができる。
【００３７】
第６の発明によれば、管部材で構成された連結部における可動部材の固定部位よりも下方の部位に下側可動管部材を固定することができるので、連結部の傾動を抑制することができる。
【００３８】
第７の発明によれば、連結部に第２補強部材を連結することで連結部の傾動を抑制することができる。
【００３９】
第８の発明によれば、第２補強部材を揺動させることができるので、連結部の位置の変更の自由度を向上させることができる。
【００４０】
第９の発明によれば、可動部材が固定部材に対して水平方向に移動するのを阻止する阻止部材を備えているので、連結部を所定の位置で位置決めすることができる。
【００４１】
第１０の発明によれば、固定部材のネジ孔に雄ネジ部材を螺合させることによって可動部材の水平方向の移動を確実に阻止することができる。
【図面の簡単な説明】
【００４２】
【図１】本発明の実施形態に係る仮設足場用部材の正面図であり、連結部を進出させた状態を示す。
【図２】連結部を後退させた状態を示す図１相当図である。
【図３】本発明の実施形態に係る仮設足場用部材が取り付けられた仮設足場を高架橋の下方に構築した場合を示す図である。
【図４】本発明の実施形態に係る仮設足場用部材に側部支柱を連結して上方に作業床を設けた状態を示す図３相当図である。
【図５】図４におけるＡ部拡大図である。
【図６】高架橋の下方に仮設足場を構築した場合を示す図である。
【発明を実施するための形態】
【００４３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４４】
図１は、本発明の実施形態に係る仮設足場用部材１０を示すものである。この仮設足場用部材１０は、仮設足場を構築する際に使用される部材である。仮設足場は、例えば、各種建築物の建築現場や補修現場、土木作業現場等で構築されるものである。この実施形態では、図４に示すように高架橋１００の建設や補修を行う場合に構築される仮設足場１について説明するが、仮設足場１は、高架橋１００の建設や補修以外にも、例えばトンネルの建設現場等においても構築することができる。高架橋１００に対する各種作業としては、例えば塗装等を挙げることができるが、これに限られるものではなく、例えば検査等を行う場合に上記仮設足場１を利用することができる。
【００４５】
図４に示すように、高架橋１００は、上面にレールや舗装路（図示せず）が設けられる橋桁部１０１と、橋桁部１０１を支持する橋脚（図示せず）とで構成されている。橋桁部１０１の幅方向両端部には、上方へ延びる側壁部１０２が設けられている。この実施形態の仮設足場１は、橋桁部１０１の下面と、側壁部１０２の外面に対して各種作業を行う場合に使用される。
【００４６】
仮設足場１は、仮設足場本体２と、仮設足場本体２の上部から水平方向に張り出すように設けられた左右の張り出し仮設足場３、３とを備えている。仮設足場本体２は、橋桁部１０１の下方に構築されており、地面に立設される鋼管からなる複数の本体側支柱４と、作業者が立って作業することが可能な作業床５となる複数の床板５ａと、本体側支柱４同士を連結する布材やブレース（共に図示せず）と、手すり（図示せず）と、幅木（図示せず）とを備えている。本体側支柱４と布材等との連結にはクサビ連結が使用されている。
【００４７】
本体側支柱４には、布材等に設けられているクサビや、後述する仮設足場用部材１０のクサビ１２ｂ、１５ｄが差し込まれて係合するクサビ差し込み部４ａが設けられている。クサビ差し込み部４ａは、例えば特許文献５等に開示されているように、従来から足場部材に設けられているものである。各クサビ差し込み部４ａは、上方が開放されていて、この開放部分からクサビ１２ｂ、１５ｄを差し込むことができるようになっている。複数のクサビ差し込み部４ａが本体側支柱４の上下方向に互いに間隔をあけて設けられるとともに、本体側支柱４の周方向にも互いに間隔をあけて設けられている。本体側支柱４は、上下方向に延びる複数の鋼管を接続して構成することができる。
【００４８】
（仮設足場用部材１０の構成）
図１及び図２に示すように、仮設足場用部材１０は、横部材１１と、連結部材（連結部）１４と、第１補強部材１５と、下側固定管部材１６と、下側可動管部材１７と、雄ネジ部材１８と、第２補強部材２０と、クランプ部材２１と、第１縦部材２２と、第２縦部材２３とを備えている。
【００４９】
図５等に示すように、横部材１１は、仮設足場本体２を構成する本体側支柱４に連結され、該仮設足場本体２から水平方向に延びるように設けられる部材である。すなわち、横部材１１は、本体側支柱４に連結されて仮設足場本体２から水平方向に突出するように延びる固定部材１２と、該固定部材１２に対して水平方向に移動可能に取り付けられ、該固定部材１２の先端部から突出する可動部材１３とを備えている。
【００５０】
固定部材１２は、仮設足場本体２から水平方向に延びる鋼管からなる管部材で構成されている。固定部材１２の先端部（図１における右端部）の下側には、ネジ孔を有するナット１２ａが下方へ突出するように固定されている。このナット１２ａのネジ孔には、雄ネジ部材１８が螺合するようになっている。固定部材１２の先端部の周壁部には、ナット１２ａのネジ孔と連通する貫通孔（図示せず）が該周壁部を貫通するように形成されており、ナット１２ａのネジ孔に螺合した雄ネジ部材１８の先端部が貫通孔を通って固定部材１２の内部へ突出可能に構成されている。
【００５１】
固定部材１２の基端部（図１における左端部）における下側には、クサビ１２ｂが下方へ突出するように固定されている。このクサビ１２ｂは、本体側支柱４のクサビ差し込み部４ａに上方から差し込まれた状態で係合するようになっている。また、固定部材１２におけるナット１２ａとクサビ１２ｂとの間には、金属製の板材からなるブラケット１２ｃが下方へ突出するように設けられている。ブラケット１２ｃは、クサビ１２ｂに接近して設けられている。
【００５２】
可動部材１３は、鋼管からなる管部材で構成されている。可動部材１３の外径は、固定部材１２の内径よりも小さく設定されており、固定部材１２の内部に差し込むことが可能に形成されている。可動部材１３の長さは、固定部材１２の長さよりも短く設定されている。可動部材１３は、固定部材１２に差し込んだ状態で該固定部材１２の中心線方向（水平方向）に相対的に移動させることができるようになっており、図１に示すように可動部材１３を進出させた状態から、図２に示すように可動部材１３を後退させた状態、また可動部材１３を後退させた状態から、進出させた状態にすることができる。
【００５３】
可動部材１３は、進出させた状態と後退させた状態との間の任意の位置で停止させることができる。図１に示す可動部材１３を進出させた状態では、横部材１１の長さが１５００ｍｍ〜２０００ｍｍの間となるように、固定部材１２及び可動部材１３の長さを設定することができる。また、図２に示す可動部材１３を後退させた状態では、横部材１１の長さが８００ｍｍ〜１５００ｍｍの間となるように、固定部材１２及び可動部材１３の長さを設定することができる。
【００５４】
雄ネジ部材１８は、可動部材１３が固定部材１２に対して水平方向に移動するのを阻止するための阻止部材である。この雄ネジ部材１８は、固定部材１２に固定されたナット１２ａのネジ孔に螺合させて時計回りに回転させると固定部材１２の内部へ進出する一方、反時計周りに回転させると後退する。つまり、雄ネジ部材１８は、固定部材１２に設けられたネジ孔に螺合することによって進退動作する。
【００５５】
雄ネジ部材１８が進出すると、固定部材１２の貫通孔を通って固定部材１２の内部へ突出するので、雄ネジ部１８の先端部が、固定部材１２の内部に差し込まれている可動部材１３の外面に当接し、更に雄ネジ部材１８を締め込むことで可動部材１３の水平方向の移動を雄ネジ部１８によって阻止することができる。一方、雄ネジ部材１８が後退した状態では、雄ネジ部１８の先端部が、固定部材１２の内部に差し込まれている可動部材１３の外面から離れるので、該可動部材１３の水平方向の移動を許容することになる。従って、雄ネジ部１８を緩めることで可動部材１３を固定部材１２に対して水平方向に移動させて横部材１１の長さを無段階に変更することができ、横部材１１が所望の長さになった時に雄ネジ部１８を締め込むことで可動部材１３が固定部材１２に固定されて横部材１１の長さが所望の長さから変化しないように、長さを維持することができる。
【００５６】
固定部材１２のブラケット１２ｃの下部には、上下方向に延びる傾斜部材２４の上端部が連結されている。傾斜部材２４の下部は、固定部材１２の基端部から下方に離れている。この傾斜部材２４の下部には、クランプ部材２５が連結されている。クランプ部材２５は、仮設足場本体２の本体側支柱４を径方向に挟持する（クランプする）ように構成された周知の部材である。
【００５７】
連結部材１４は、横部材１１の先端部、即ち、可動部材１３における固定部材１２の先端部から突出する部分に固定されている。連結部材１４には、図４に示すように作業床５となる床板５ａを横部材１１から上方に離して支持可能な側部支柱６の下部が連結される。連結部材１４は、上下方向に延びる鋼管からなる管部材で構成されている。連結部材１４の内径は、側部支柱６の外径よりも若干小さく設定されており、側部支柱６の下部を連結部材１４に差し込むことにより、側部支柱６の下部を連結部材１４に連結することができるようになっている。
【００５８】
連結部材１４の上部には、上側接続管部１４ａが横部材１１側へ向けて水平方向に突出するように固定されている。上側接続管部１４ａの内径は、可動部材１３の外径よりも若干大きく設定されており、可動部材１３の先端部を上側接続管部１４ａに差し込むことができるようになっている。可動部材１３の先端部は、上側接続管部１４ａに差し込まれた状態で溶接や締結部材等によって固定されている。また、連結部材１４における上側接続管部１４ａから下方に離れた部位には、下側接続管部１４ｂが上側接続管部１４ａと同方向に突出するように固定されている。さらに、連結部材１４の下部には、突出板部１４ｃが下方へ突出するように設けられている。
【００５９】
第１補強部材１５は上下方向に延びており、上側へ行くほど固定部材１２の先端部に近づくように傾斜している。第１補強部材１５は鋼管で構成されている。第１補強部材１５の上部は、略鉛直に延びる鉛直部１５ａで構成されており、この鉛直部１５ａも鋼管である。鉛直部１５ａの上端部は、固定部材１２の先端側においてナット１２ａよりも基端寄りの部位に固定されている。これにより、第１補強部材１５の上端部が固定部材１２に固定されることになる。
【００６０】
第１補強部材１５の下端部は、本体側支柱４における固定部材１２の連結部位よりも下方の部位に連結されるようになっている。すなわち、第１補強部材１５の下端部は固定部材１２の基端部よりも下方に位置しており、この第１補強部材１５の下端部には連結板部１５ｂが設けられている。連結板部１５ｂは上下方向に延びていて、その上端部が第１補強部材１５の下端部に対して溶接等の固定方法によって固定されている。連結板部１５ｂの下部には、本体側支柱４のクサビ差し込み部４ａに差し込まれるクサビ１５ｄが固定されている。クサビ１５ｄと、クサビ１２ｂとは、上下方向に延びる同一直線上に位置するように配置される。また、連結板部１５ｂの上部には、本体側支柱４に対して側方から当接する当接部１５ｃが設けられている。
【００６１】
第１補強部材１５には、固定部材１２よりも下方に位置付けられるとともに、該固定部材１２と略平行に延びる下側固定管部材１６が固定されている。下側固定管部材１６は、鋼管で構成されている。下側固定管部材１６の中心線方向中央部よりも先端側（図１における右側）寄りの部位が、第１補強部材１５における鉛直部１５ａの下端部に固定されている。
【００６２】
下側固定管部材１６には、水平方向に延びる鋼管からなる下側可動管部材１７が取り付けられている。下側可動管部材１７の外径は、下側固定管部材１６の内径よりも若干小さく設定されており、下側可動管部材１７を下側固定管部材１６に差し込んだ状態で中心線方向に相対的に移動させることが可能になっている。つまり、下側可動管部材１７は、下側固定管部材１６に対して水平方向に移動可能に取り付けられている。
【００６３】
下側可動管部材１７の長さは、下側固定管部材１６に差し込んだ状態で該下側固定管部材１６の先端部から突出するように設定されている。下側可動管部材１７における下側固定管部材１６の先端部から突出する部分に連結部材１４が固定されている。すなわち、下側可動管部材１７の外径は、連結部材１４の下側接続管部１４ｂの内径よりも若干小さく設定されており、下側可動管部材１７における下側固定管部材１６の先端部から突出する部分を連結部材１４の下側接続管部１４ｂに差し込むことができるようになっている。下側可動管部材１７における下側固定管部材１６の先端部から突出する部分は、下側接続管部１４ｂに差し込まれた状態で溶接や締結部材等によって固定されている。従って、連結部材１４における可動部材１３の固定部位よりも下方の部位に下側可動管部材１７が固定されることになる。
【００６４】
第２補強部材２０は、上下方向に延びる金属製の棒材や管材等からなるものである。第２補強部材２０の上端部は、連結部材１４の突出板部１４ｃに対して水平方向に延びる軸２０ａ周りに揺動可能に連結されている。軸２０ａは、第２補強部材２０の上端部を支持し、かつ、第２補強部材２０の下端部が第１補強部材１５に接離するように、第２補強部材２０を揺動させる揺動軸となる部材である。
【００６５】
第２補強部材２０の下端部には、第１補強部材１５をクランプするためのクランプ部材２１が水平方向に延びる軸２０ｂ周りに揺動可能に連結されている。軸２０ｂの延びる方向は軸２０ａの延びる方向と一致している。クランプ部材２１は、第１補強部材１５を径方向に挟持する（クランプする）ように構成された周知の部材である。
【００６６】
図１に示す可動部材１３を進出させた状態では、可動部材１３に下側可動管部材１７が連結部材１４を介して連結されているので、下側可動管部材１７も進出することになる。また、このとき、第２補強部材２０の上端部が可動部材１３に連結部材１４を介して連結されているので、第２補強部材２０の上端部も同様に進出することになる。第２補強部材２０の上端部が進出すると、第２補強部材２０が揺動して該第２補強部材２０の下端部が上昇することになる。この上昇位置でクランプ部材２１により第１補強部材１５をクランプすると、第２補強部材２０により連結部材１４を下方から支持することができるとともに、連結部材１４の傾きを抑制することができる。また、第２補強部材２０の水平面に対する傾斜角度は、第１補強部材１５の水平面に対する傾斜角度よりも緩やかになっている。
【００６７】
図２に示す可動部材１３を後退させた状態では、下側可動管部材１７も後退し、第２補強部材２０の上端部も後退する。第２補強部材２０の上端部が後退すると、第２補強部材２０が揺動して該第２補強部材２０の下端部が下降することになる。この下降位置でクランプ部材２１により第１補強部材１５をクランプすると、第２補強部材２０により連結部材１４を下方から支持することができるとともに、連結部材１４の傾きを抑制することができる。クランプ部材２１による第１補強部材１５のクランプ位置は、第２補強部材２０の揺動角度に応じて無段階で変更することができる。
【００６８】
第１縦部材２２は上下方向に延びる金属製の棒材や管材等からなるものである。第１縦部材２２の上端部は、固定部材１２における鉛直部１５ａの固定部位よりも基端寄りの部位に固定されている。第１縦部材２２の下端部は、第１補強部材１５におけるクランプ部材２１によるクランプ位置（上昇端位置）よりも上側の部位に固定されている。また、第１縦部材２２の上下方向中間部には、下側固定管部材１６の基端部が固定されている。従って、第１縦部材２２によって固定部材１２と第１補強部材１５を連結することができるとともに、固定部材１２と下側固定管部材１６、下側固定管部材１６と第１補強部材１５を連結することもできる。
【００６９】
第２縦部材２３は上下方向に延びる金属製の棒材や管材等からなるものである。第２縦部材２３の上端部は、固定部材１２における第１縦部材２２の固定部位よりも基端寄りの部位に固定されている。第２縦部材２３の下端部は、第１補強部材１５におけるクランプ部材２１によるクランプ位置（図２に示す下降端位置）よりも下側の部位に固定されている。従って、第２縦部材２３によって固定部材１２と第１補強部材１５を連結することができる。また、第１補強部材１５におけるクランプ部材２１によるクランプ位置は、上昇端位置であっても下降端位置であっても、第１縦部材２２と第２縦部材２３との間に設定される。
【００７０】
（仮設足場の構築）
次に、上記のように構成された仮設足場用部材１０を使用して仮設足場を構築する場合について説明する。まず、図６に示すように橋桁部１０１の下方に仮設足場本体２を構築する。また、実施形態に係る仮設足場用部材１０の連結部材１４の水平方向の位置を所望の位置にしておく。このとき、雄ネジ部材１８を緩めておくとともに、クランプ部材２１を非クランプ状態としておく。これにより、可動部材１３及び下側可動管部材１７を水平方向に移動させることができるとともに、可動部材１３及び下側可動管部材１７の水平方向の移動に連動させて第２補強部材２０を揺動させることができる。連結部材１４の水平方向の位置を所望の位置にした後、雄ネジ部材１８を締め込むとともに、クランプ部材２１をクランプ状態にすることで連結部材１４が固定される。連結部材１４の位置は、作業床５を、高架橋１００の側壁部１０２から外側に離した所に形成することができるように設定する。
【００７１】
その後、図３に示すように、仮設足場本体２の上部における幅方向両側にそれぞれ実施形態に係る仮設足場用部材１０を連結する。このとき、仮設足場用部材１０の固定部材１２のクサビ１２ｂ、１５ｄをそれぞれ仮設足場本体２の本体側支柱４のクサビ差し込み部４ａに差し込む。さらに、クランプ部材２５により仮設足場本体２の本体側支柱４をクランプする。以上のようにして仮設足場用部材１０を仮設足場本体２に連結することができる。
【００７２】
次いで、図４に示すように、側部支柱６の下部を仮設足場用部材１０の連結部材１４に上方から差し込むことによって側部支柱６の下部を連結部材１４に連結する。側部支柱６には、床板５ａを支持するための床板支持部材７を連結する。床板支持部材７は、上下方向に複数設けることができる。床板支持部材７に床板５ａを載置することで作業床５が形成されて張り出し仮設足場３が構築される。
【００７３】
張り出し仮設足場３は、建築物等に合わせて構築することができ、仮設足場本体２の幅方向一方にのみ構築してもよい。
【００７４】
（実施形態の作用効果）
以上説明したように、この実施形態によれば、仮設足場用部材１０の横部材１１を仮設足場本体２の本体側支柱４に連結することで、横部材１１が仮設足場本体２から水平方向に延びるように設けられる。この横部材１１の先端部の連結部材１４には側部支柱６の下部が連結される。側部支柱６には、床板５ａを横部材１１から上方に離した状態で支持することができる。従って、仮設足場本体２から水平方向に張り出した作業床５を、仮設足場本体２よりも高いところに形成することが可能になるので、例えば高架橋１００の補修等を行う際には、仮設足場本体２の幅を拡張することなく、仮設足場用部材１０、側部支柱６及び床板５ａを使用して側壁部１０２の外面に対して作業可能な高さの作業床５が容易に得られる。
【００７５】
また、横部材１１を構成している固定部材１２を仮設足場本体２の本体側支柱４に連結すると、可動部材１３の先端部が固定部材１２の先端部から突出した状態になり、可動部材１３の先端部に側部支柱６の下部が連結部材１４を介して連結されることになる。可動部材１３は固定部材１２に対して水平方向に移動可能に取り付けられているので、可動部材１３を移動させることで連結部材６を水平方向に移動させることが可能になる。よって、作業床５の位置の設定自由度が向上する。
【００７６】
上述の実施形態はあらゆる点で単なる例示に過ぎず、限定的に解釈してはならない。さらに、特許請求の範囲の均等範囲に属する変形や変更は、全て本発明の範囲内のものである。
【００７７】
上記実施形態では、可動部材１３が固定部材１２に対して水平方向に移動するのを阻止する阻止部材として雄ネジ部材１８を使用しているが、これに限らず、クランプ部材やロックピン等であってもよい。
【００７８】
また、上記実施形態では、補強部材として第１縦部材２２と第２縦部材２３を設けているが、これに限らず、強度の要件を満たすのであれば、第１縦部材２２と第２縦部材２３の一方または両方を省略してもよい。
【産業上の利用可能性】
【００７９】
以上説明したように、本発明に係る仮設足場用部材は、例えば、各種建築物の建築現場や補修現場、土木作業現場等で構築される仮設足場を構成する場合に使用することができる。
【符号の説明】
【００８０】
１                  仮設足場
２                  仮設足場本体
３                  張り出し仮設足場
４                  本体側支柱
５                  作業床
５ａ                床板
６                  側部支柱
１０                仮設足場用部材
１１                横部材
１２                固定部材
１３                可動部材
１４                連結部材（連結部）
１５                第１補強部材
１６                下側固定管部材
１７                下側可動管部材
１８                雄ネジ部材
２０                第２補強部材
２１                クランプ部材
【図１】
2019112891.tif 000003
【図２】
2019112891.tif 000004
【図３】
2019112891.tif 000005
【図４】
2019112891.tif 000006
【図５】
2019112891.tif 000007
【図６】
2019112891.tif 000008
【手続補正書】
【提出日】平成30年3月16日(2018.3.16)
【手続補正１】
【補正対象書類名】明細書
【補正対象項目名】全文
【補正方法】変更
【補正の内容】
【発明の詳細な説明】
【技術分野】
【０００１】
本発明は、例えば、各種建築物の建築現場や補修現場、土木作業現場等で構築される仮設足場を構成する仮設足場用部材に関し、特に仮設足場の本体部分から水平方向に張り出すように張り出し仮設足場を構築する場合に使用される仮設足場用部材に関する。
【背景技術】
【０００２】
一般に、各種建築物の建築現場や補修現場、土木作業現場等では、作業を行うための仮設足場が構築される。仮設足場は、複数の支柱部材、支柱部材を連結する布材やブレース材、梁部材、床板等を組み合わせて構築されている（例えば、特許文献１〜５参照）。
【０００３】
特許文献４の仮設足場は、梁部材の長手方向と交差する方向に延び、梁部材から前後方向に突出するように設けられた複数本の根太部材と、複数本の根太部材に渡って掛け渡される床板とを有している。
【０００４】
特許文献５には、仮設足場本体から水平方向に張り出すように設置される張り出しブラケットが開示されている。張り出しブラケットは、水平部材と、水平部材の基端部に設けられたクサビと、水平部材の先端部に設けられたホゾと、水平部材のホゾ側からクサビ側に向けて下降傾斜した補強材とを備えている。ホゾには上下方向に延びる分岐用支柱が結合されている。クサビが結合される支柱と分岐用支柱と繋ぐように手すりが設けられている。
【先行技術文献】
【特許文献】
【０００５】
【特許文献１】特開２０１１−１１１８８８号公報
【特許文献２】特開２０１３−１２４５４１号公報
【特許文献３】特開２０１６−５６６２１号公報
【特許文献４】特開２０１７−８９１２８号公報
【特許文献５】特開２００２−６１３８５号公報
【発明の概要】
【発明が解決しようとする課題】
【０００６】
ところで、例えば図６に示す高架橋１００は、レール等が敷設される橋桁部１０１と、橋桁部１０１の側部に設けられた側壁部１０２とを備えており、この高架橋１００を補修等する場合には、一般的に、同図に示すように橋桁部１０１の下方に仮設足場１を構築することになる。
【０００７】
仮設足場１を橋桁部１０１の下方に構築することで、橋桁部１０１の下面の補修等は可能であるが、側壁部１０２の外面の補修等が問題になる。すなわち、仮設足場１の幅を基礎部分から上部に亘って全体として拡張し、側壁部１０２の外面に達するような大型の仮設足場にすることで、側壁部１０２の外面に対する補修等が行えるようになるが、そのような大型の仮設足場を構築するためには多くの資材が必要になるとともに、工数も増大してしまう。また、現場の状態によっては仮設足場の基礎部分の幅を拡張できない場合も想定される。よって、側壁部１０２については、吊り下げ式の仮設足場等を別途構築しなければならなかった。
【０００８】
ここで、特許文献４では、梁部材から前後方向に突出するように設けられた複数本の根太部材に渡って床板を掛け渡すようにしており、これによって仮設足場本体から水平方向に張り出す作業床を得ることができるようになっている。しかしながら、高架橋１００の側壁部１０２の高さが高い場合には、単に作業床が水平方向に張り出しているだけでは高さが足りないという問題がある。
【０００９】
また、特許文献５では、張り出しブラケットを設けることで、仮設足場本体から水平方向に張り出す作業床を得ることができると考えられる。しかしながら、この特許文献５も特許文献４と同様に単に作業床が水平方向に張り出しているだけなので、高さの問題がある。
【００１０】
上述したような問題は高架橋１００だけのものではなく、他の建築物の建築現場や補修現場、土木作業現場等でも起こり得る。
【００１１】
本発明は、かかる点に鑑みてなされたものであり、その目的とするところは、仮設足場本体から水平方向に張り出した作業床を高いところにも形成できるようにすることにある。
【課題を解決するための手段】
【００１２】
上記目的を達成するために、本発明では、仮設足場本体から水平方向に延びるように設けられる横部材の先端部に、作業床となる床板を支持する支柱を連結可能にした。
【００１３】
第１の発明は、仮設足場を構築する仮設足場用部材において、仮設足場本体を構成する本体側支柱に連結され、該仮設足場本体から水平方向に延びるように設けられる横部材と、上記横部材の先端部に設けられ、作業床となる床板を上記横部材から上方に離して支持可能な側部支柱の下部が連結される連結部とを備え、上記横部材は、上記本体側支柱に連結されて上記仮設足場本体から水平方向に延びる管部材で構成された固定部材と、該固定部材に差し込まれる管部材で構成されるとともに該固定部材に対して水平方向に移動可能に取り付けられ、該固定部材の先端部から突出する可動部材とを備え、上記可動部材における上記固定部材の先端部から突出する部分に上記連結部が固定され、上記固定部材には、上下方向に延びる第１補強部材が固定され、上記第１補強部材の下端部は、上記本体側支柱における上記固定部材の連結部位よりも下方の部位に連結され、上記第１補強部材には、上記固定部材よりも下方に位置付けられるとともに、該固定部材と略平行に延びる下側固定管部材が固定され、上記下側固定管部材に対して水平方向に移動可能に取り付けられ、該下側固定管部材の先端部から突出する下側可動管部材が設けられ、上記下側可動管部材における上記下側固定管部材の先端部から突出する部分に上記連結部が固定されていることを特徴とする。
【００１４】
この構成によれば、横部材を仮設足場本体の本体側支柱に連結することで、横部材が仮設足場本体から水平方向に延びるように設けられる。この横部材の先端部の連結部には側部支柱の下部が連結される。側部支柱には、床板を横部材から上方に離した状態で支持することが可能である。従って、本発明の仮設足場用部材を使用することで、仮設足場本体から水平方向に張り出した作業床を、仮設足場本体よりも高いところに形成することが可能になるので、例えば高架橋の補修等を行う際には、仮設足場本体の幅を拡張することなく、本発明の仮設足場用部材、側部支柱及び床板を使用して側壁部の外面に対して作業可能な高さの作業床が容易に得られる。
【００１５】
また、固定部材を仮設足場本体の本体側支柱に連結すると、可動部材の先端部が固定部材の先端部から突出した状態になり、可動部材の先端部に側部支柱の下部が連結部を介して連結されることになる。可動部材は固定部材に対して水平方向に移動可能に取り付けられているので、可動部材を移動させることで連結部を水平方向に移動させることが可能になる。よって、作業床の位置の設定自由度が向上する。
【００１６】
また、固定部材及び可動部材を管部材で構成することにより、コストが低減される。また、可動部材を固定部材に差し込んだ状態で水平方向に容易に移動させることが可能になる。
【００１７】
また、固定部材が第１補強部材によって下方から支持されて補強される。
【００１８】
また、連結部が横部材と第１補強部材とに固定されることになるので、連結部の強度が向上する。
【００１９】
第２の発明は、第１の発明において、上記連結部は上下方向に延びる管部材で構成され、上記連結部における上記可動部材の固定部位よりも下方の部位に上記下側可動管部材が固定されていることを特徴とする。
【００２０】
この構成によれば、連結部における上下方向に離れた部位に可動部材及び下側可動管部材が固定されることになるので、連結部の傾動が抑制される。
【００２１】
第３の発明は、第２の発明において、上記連結部における上記下側可動管部材の固定部位よりも下方の部位に上下方向に延びる第２補強部材が連結され、上記第２補強部材の下端部は、上記第１補強部材に連結されることを特徴とする。
【００２２】
この構成によれば、連結部が第２補強部材によって下方から支持されて補強される。
【００２３】
第４の発明は、第３の発明において、上記第２補強部材は、上記連結部に対して水平方向に延びる軸周りに揺動可能に連結され、上記第２補強部材の下端部には、上記第１補強部材をクランプするクランプ部材が水平方向に延びる軸周りに揺動可能に連結されることを特徴とする。
【００２４】
この構成によれば、可動部材及び下側可動管部材を水平方向に移動させて連結部の位置を変更する際に、第２補強部材を揺動させることで連結部の位置の変更の自由度が向上する。そして、クランプ部材が第１補強部材をクランプすることで、第２補強部材の下端部がクランプ部材を介して第１補強部材に連結される。
【００２５】
第５の発明は、第１から４のいずれか１つの発明において、上記可動部材が上記固定部材に対して水平方向に移動するのを阻止する阻止部材を備えていることを特徴とする。
【００２６】
この構成によれば、可動部材を水平方向に移動させて連結部の位置を調整した後に、阻止部材によって可動部材が水平方向に移動しないようにすることが可能になるので、連結部が所定の位置で位置決めされる。
【００２７】
第６の発明は、第５の発明において、上記阻止部材は、上記固定部材に設けられたネジ孔に螺合することによって進退動作する雄ネジ部材で構成され、上記雄ネジ部材は、進出状態で該雄ネジ部材の先端部が上記可動部材の外面に当接して該可動部材の水平方向の移動を阻止する一方、後退状態で該雄ネジ部材の先端部が上記可動部材の外面から離間して該可動部材の水平方向の移動を許容することを特徴とする。
【発明の効果】
【００２８】
第１の発明によれば、仮設足場本体を構築する本体側支柱に連結されて水平方向に延びるように設けられる横部材の先端部に、作業床となる床板を横部材から上方に離して支持することができる側部支柱の下部を連結するようにしたので、仮設足場本体から水平方向に張り出した作業床を高いところにも形成することができる。
【００２９】
また、仮設足場本体の本体側支柱に連結される固定部材に対して水平方向に移動可能に取り付けられる可動部材の先端部に連結部を固定したので、作業床の位置の設定自由度を向上させることができる。
【００３０】
また、管部材からなる固定部材に対して管部材からなる可動部材を差し込むことで、低コスト化を図ることができるとともに、可動部材を固定部材に対して容易に水平方向に移動させることができる。
【００３１】
また、固定部材に第１補強部材を固定することで、横部材の変形を抑制することができる。
【００３２】
また、連結部を横部材と第１補強部材とに固定することができるので連結部の強度を向上させることができる。
【００３３】
第２の発明によれば、管部材で構成された連結部における可動部材の固定部位よりも下方の部位に下側可動管部材を固定することができるので、連結部の傾動を抑制することができる。
【００３４】
第３の発明によれば、連結部に第２補強部材を連結することで連結部の傾動を抑制することができる。
【００３５】
第４の発明によれば、第２補強部材を揺動させることができるので、連結部の位置の変更の自由度を向上させることができる。
【００３６】
第５の発明によれば、可動部材が固定部材に対して水平方向に移動するのを阻止する阻止部材を備えているので、連結部を所定の位置で位置決めすることができる。
【００３７】
第６の発明によれば、固定部材のネジ孔に雄ネジ部材を螺合させることによって可動部材の水平方向の移動を確実に阻止することができる。
【図面の簡単な説明】
【００３８】
【図１】本発明の実施形態に係る仮設足場用部材の正面図であり、連結部を進出させた状態を示す。
【図２】連結部を後退させた状態を示す図１相当図である。
【図３】本発明の実施形態に係る仮設足場用部材が取り付けられた仮設足場を高架橋の下方に構築した場合を示す図である。
【図４】本発明の実施形態に係る仮設足場用部材に側部支柱を連結して上方に作業床を設けた状態を示す図３相当図である。
【図５】図４におけるＡ部拡大図である。
【図６】高架橋の下方に仮設足場を構築した場合を示す図である。
【発明を実施するための形態】
【００３９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４０】
図１は、本発明の実施形態に係る仮設足場用部材１０を示すものである。この仮設足場用部材１０は、仮設足場を構築する際に使用される部材である。仮設足場は、例えば、各種建築物の建築現場や補修現場、土木作業現場等で構築されるものである。この実施形態では、図４に示すように高架橋１００の建設や補修を行う場合に構築される仮設足場１について説明するが、仮設足場１は、高架橋１００の建設や補修以外にも、例えばトンネルの建設現場等においても構築することができる。高架橋１００に対する各種作業としては、例えば塗装等を挙げることができるが、これに限られるものではなく、例えば検査等を行う場合に上記仮設足場１を利用することができる。
【００４１】
図４に示すように、高架橋１００は、上面にレールや舗装路（図示せず）が設けられる橋桁部１０１と、橋桁部１０１を支持する橋脚（図示せず）とで構成されている。橋桁部１０１の幅方向両端部には、上方へ延びる側壁部１０２が設けられている。この実施形態の仮設足場１は、橋桁部１０１の下面と、側壁部１０２の外面に対して各種作業を行う場合に使用される。
【００４２】
仮設足場１は、仮設足場本体２と、仮設足場本体２の上部から水平方向に張り出すように設けられた左右の張り出し仮設足場３、３とを備えている。仮設足場本体２は、橋桁部１０１の下方に構築されており、地面に立設される鋼管からなる複数の本体側支柱４と、作業者が立って作業することが可能な作業床５となる複数の床板５ａと、本体側支柱４同士を連結する布材やブレース（共に図示せず）と、手すり（図示せず）と、幅木（図示せず）とを備えている。本体側支柱４と布材等との連結にはクサビ連結が使用されている。
【００４３】
本体側支柱４には、布材等に設けられているクサビや、後述する仮設足場用部材１０のクサビ１２ｂ、１５ｄが差し込まれて係合するクサビ差し込み部４ａが設けられている。クサビ差し込み部４ａは、例えば特許文献５等に開示されているように、従来から足場部材に設けられているものである。各クサビ差し込み部４ａは、上方が開放されていて、この開放部分からクサビ１２ｂ、１５ｄを差し込むことができるようになっている。複数のクサビ差し込み部４ａが本体側支柱４の上下方向に互いに間隔をあけて設けられるとともに、本体側支柱４の周方向にも互いに間隔をあけて設けられている。本体側支柱４は、上下方向に延びる複数の鋼管を接続して構成することができる。
【００４４】
（仮設足場用部材１０の構成）
図１及び図２に示すように、仮設足場用部材１０は、横部材１１と、連結部材（連結部）１４と、第１補強部材１５と、下側固定管部材１６と、下側可動管部材１７と、雄ネジ部材１８と、第２補強部材２０と、クランプ部材２１と、第１縦部材２２と、第２縦部材２３とを備えている。
【００４５】
図５等に示すように、横部材１１は、仮設足場本体２を構成する本体側支柱４に連結され、該仮設足場本体２から水平方向に延びるように設けられる部材である。すなわち、横部材１１は、本体側支柱４に連結されて仮設足場本体２から水平方向に突出するように延びる固定部材１２と、該固定部材１２に対して水平方向に移動可能に取り付けられ、該固定部材１２の先端部から突出する可動部材１３とを備えている。
【００４６】
固定部材１２は、仮設足場本体２から水平方向に延びる鋼管からなる管部材で構成されている。固定部材１２の先端部（図１における右端部）の下側には、ネジ孔を有するナット１２ａが下方へ突出するように固定されている。このナット１２ａのネジ孔には、雄ネジ部材１８が螺合するようになっている。固定部材１２の先端部の周壁部には、ナット１２ａのネジ孔と連通する貫通孔（図示せず）が該周壁部を貫通するように形成されており、ナット１２ａのネジ孔に螺合した雄ネジ部材１８の先端部が貫通孔を通って固定部材１２の内部へ突出可能に構成されている。
【００４７】
固定部材１２の基端部（図１における左端部）における下側には、クサビ１２ｂが下方へ突出するように固定されている。このクサビ１２ｂは、本体側支柱４のクサビ差し込み部４ａに上方から差し込まれた状態で係合するようになっている。また、固定部材１２におけるナット１２ａとクサビ１２ｂとの間には、金属製の板材からなるブラケット１２ｃが下方へ突出するように設けられている。ブラケット１２ｃは、クサビ１２ｂに接近して設けられている。
【００４８】
可動部材１３は、鋼管からなる管部材で構成されている。可動部材１３の外径は、固定部材１２の内径よりも小さく設定されており、固定部材１２の内部に差し込むことが可能に形成されている。可動部材１３の長さは、固定部材１２の長さよりも短く設定されている。可動部材１３は、固定部材１２に差し込んだ状態で該固定部材１２の中心線方向（水平方向）に相対的に移動させることができるようになっており、図１に示すように可動部材１３を進出させた状態から、図２に示すように可動部材１３を後退させた状態、また可動部材１３を後退させた状態から、進出させた状態にすることができる。
【００４９】
可動部材１３は、進出させた状態と後退させた状態との間の任意の位置で停止させることができる。図１に示す可動部材１３を進出させた状態では、横部材１１の長さが１５００ｍｍ〜２０００ｍｍの間となるように、固定部材１２及び可動部材１３の長さを設定することができる。また、図２に示す可動部材１３を後退させた状態では、横部材１１の長さが８００ｍｍ〜１５００ｍｍの間となるように、固定部材１２及び可動部材１３の長さを設定することができる。
【００５０】
雄ネジ部材１８は、可動部材１３が固定部材１２に対して水平方向に移動するのを阻止するための阻止部材である。この雄ネジ部材１８は、固定部材１２に固定されたナット１２ａのネジ孔に螺合させて時計回りに回転させると固定部材１２の内部へ進出する一方、反時計周りに回転させると後退する。つまり、雄ネジ部材１８は、固定部材１２に設けられたネジ孔に螺合することによって進退動作する。
【００５１】
雄ネジ部材１８が進出すると、固定部材１２の貫通孔を通って固定部材１２の内部へ突出するので、雄ネジ部１８の先端部が、固定部材１２の内部に差し込まれている可動部材１３の外面に当接し、更に雄ネジ部材１８を締め込むことで可動部材１３の水平方向の移動を雄ネジ部１８によって阻止することができる。一方、雄ネジ部材１８が後退した状態では、雄ネジ部１８の先端部が、固定部材１２の内部に差し込まれている可動部材１３の外面から離れるので、該可動部材１３の水平方向の移動を許容することになる。従って、雄ネジ部１８を緩めることで可動部材１３を固定部材１２に対して水平方向に移動させて横部材１１の長さを無段階に変更することができ、横部材１１が所望の長さになった時に雄ネジ部１８を締め込むことで可動部材１３が固定部材１２に固定されて横部材１１の長さが所望の長さから変化しないように、長さを維持することができる。
【００５２】
固定部材１２のブラケット１２ｃの下部には、上下方向に延びる傾斜部材２４の上端部が連結されている。傾斜部材２４の下部は、固定部材１２の基端部から下方に離れている。この傾斜部材２４の下部には、クランプ部材２５が連結されている。クランプ部材２５は、仮設足場本体２の本体側支柱４を径方向に挟持する（クランプする）ように構成された周知の部材である。
【００５３】
連結部材１４は、横部材１１の先端部、即ち、可動部材１３における固定部材１２の先端部から突出する部分に固定されている。連結部材１４には、図４に示すように作業床５となる床板５ａを横部材１１から上方に離して支持可能な側部支柱６の下部が連結される。連結部材１４は、上下方向に延びる鋼管からなる管部材で構成されている。連結部材１４の内径は、側部支柱６の外径よりも若干小さく設定されており、側部支柱６の下部を連結部材１４に差し込むことにより、側部支柱６の下部を連結部材１４に連結することができるようになっている。
【００５４】
連結部材１４の上部には、上側接続管部１４ａが横部材１１側へ向けて水平方向に突出するように固定されている。上側接続管部１４ａの内径は、可動部材１３の外径よりも若干大きく設定されており、可動部材１３の先端部を上側接続管部１４ａに差し込むことができるようになっている。可動部材１３の先端部は、上側接続管部１４ａに差し込まれた状態で溶接や締結部材等によって固定されている。また、連結部材１４における上側接続管部１４ａから下方に離れた部位には、下側接続管部１４ｂが上側接続管部１４ａと同方向に突出するように固定されている。さらに、連結部材１４の下部には、突出板部１４ｃが下方へ突出するように設けられている。
【００５５】
第１補強部材１５は上下方向に延びており、上側へ行くほど固定部材１２の先端部に近づくように傾斜している。第１補強部材１５は鋼管で構成されている。第１補強部材１５の上部は、略鉛直に延びる鉛直部１５ａで構成されており、この鉛直部１５ａも鋼管である。鉛直部１５ａの上端部は、固定部材１２の先端側においてナット１２ａよりも基端寄りの部位に固定されている。これにより、第１補強部材１５の上端部が固定部材１２に固定されることになる。
【００５６】
第１補強部材１５の下端部は、本体側支柱４における固定部材１２の連結部位よりも下方の部位に連結されるようになっている。すなわち、第１補強部材１５の下端部は固定部材１２の基端部よりも下方に位置しており、この第１補強部材１５の下端部には連結板部１５ｂが設けられている。連結板部１５ｂは上下方向に延びていて、その上端部が第１補強部材１５の下端部に対して溶接等の固定方法によって固定されている。連結板部１５ｂの下部には、本体側支柱４のクサビ差し込み部４ａに差し込まれるクサビ１５ｄが固定されている。クサビ１５ｄと、クサビ１２ｂとは、上下方向に延びる同一直線上に位置するように配置される。また、連結板部１５ｂの上部には、本体側支柱４に対して側方から当接する当接部１５ｃが設けられている。
【００５７】
第１補強部材１５には、固定部材１２よりも下方に位置付けられるとともに、該固定部材１２と略平行に延びる下側固定管部材１６が固定されている。下側固定管部材１６は、鋼管で構成されている。下側固定管部材１６の中心線方向中央部よりも先端側（図１における右側）寄りの部位が、第１補強部材１５における鉛直部１５ａの下端部に固定されている。
【００５８】
下側固定管部材１６には、水平方向に延びる鋼管からなる下側可動管部材１７が取り付けられている。下側可動管部材１７の外径は、下側固定管部材１６の内径よりも若干小さく設定されており、下側可動管部材１７を下側固定管部材１６に差し込んだ状態で中心線方向に相対的に移動させることが可能になっている。つまり、下側可動管部材１７は、下側固定管部材１６に対して水平方向に移動可能に取り付けられている。
【００５９】
下側可動管部材１７の長さは、下側固定管部材１６に差し込んだ状態で該下側固定管部材１６の先端部から突出するように設定されている。下側可動管部材１７における下側固定管部材１６の先端部から突出する部分に連結部材１４が固定されている。すなわち、下側可動管部材１７の外径は、連結部材１４の下側接続管部１４ｂの内径よりも若干小さく設定されており、下側可動管部材１７における下側固定管部材１６の先端部から突出する部分を連結部材１４の下側接続管部１４ｂに差し込むことができるようになっている。下側可動管部材１７における下側固定管部材１６の先端部から突出する部分は、下側接続管部１４ｂに差し込まれた状態で溶接や締結部材等によって固定されている。従って、連結部材１４における可動部材１３の固定部位よりも下方の部位に下側可動管部材１７が固定されることになる。
【００６０】
第２補強部材２０は、上下方向に延びる金属製の棒材や管材等からなるものである。第２補強部材２０の上端部は、連結部材１４の突出板部１４ｃに対して水平方向に延びる軸２０ａ周りに揺動可能に連結されている。軸２０ａは、第２補強部材２０の上端部を支持し、かつ、第２補強部材２０の下端部が第１補強部材１５に接離するように、第２補強部材２０を揺動させる揺動軸となる部材である。
【００６１】
第２補強部材２０の下端部には、第１補強部材１５をクランプするためのクランプ部材２１が水平方向に延びる軸２０ｂ周りに揺動可能に連結されている。軸２０ｂの延びる方向は軸２０ａの延びる方向と一致している。クランプ部材２１は、第１補強部材１５を径方向に挟持する（クランプする）ように構成された周知の部材である。
【００６２】
図１に示す可動部材１３を進出させた状態では、可動部材１３に下側可動管部材１７が連結部材１４を介して連結されているので、下側可動管部材１７も進出することになる。また、このとき、第２補強部材２０の上端部が可動部材１３に連結部材１４を介して連結されているので、第２補強部材２０の上端部も同様に進出することになる。第２補強部材２０の上端部が進出すると、第２補強部材２０が揺動して該第２補強部材２０の下端部が上昇することになる。この上昇位置でクランプ部材２１により第１補強部材１５をクランプすると、第２補強部材２０により連結部材１４を下方から支持することができるとともに、連結部材１４の傾きを抑制することができる。また、第２補強部材２０の水平面に対する傾斜角度は、第１補強部材１５の水平面に対する傾斜角度よりも緩やかになっている。
【００６３】
図２に示す可動部材１３を後退させた状態では、下側可動管部材１７も後退し、第２補強部材２０の上端部も後退する。第２補強部材２０の上端部が後退すると、第２補強部材２０が揺動して該第２補強部材２０の下端部が下降することになる。この下降位置でクランプ部材２１により第１補強部材１５をクランプすると、第２補強部材２０により連結部材１４を下方から支持することができるとともに、連結部材１４の傾きを抑制することができる。クランプ部材２１による第１補強部材１５のクランプ位置は、第２補強部材２０の揺動角度に応じて無段階で変更することができる。
【００６４】
第１縦部材２２は上下方向に延びる金属製の棒材や管材等からなるものである。第１縦部材２２の上端部は、固定部材１２における鉛直部１５ａの固定部位よりも基端寄りの部位に固定されている。第１縦部材２２の下端部は、第１補強部材１５におけるクランプ部材２１によるクランプ位置（上昇端位置）よりも上側の部位に固定されている。また、第１縦部材２２の上下方向中間部には、下側固定管部材１６の基端部が固定されている。従って、第１縦部材２２によって固定部材１２と第１補強部材１５を連結することができるとともに、固定部材１２と下側固定管部材１６、下側固定管部材１６と第１補強部材１５を連結することもできる。
【００６５】
第２縦部材２３は上下方向に延びる金属製の棒材や管材等からなるものである。第２縦部材２３の上端部は、固定部材１２における第１縦部材２２の固定部位よりも基端寄りの部位に固定されている。第２縦部材２３の下端部は、第１補強部材１５におけるクランプ部材２１によるクランプ位置（図２に示す下降端位置）よりも下側の部位に固定されている。従って、第２縦部材２３によって固定部材１２と第１補強部材１５を連結することができる。また、第１補強部材１５におけるクランプ部材２１によるクランプ位置は、上昇端位置であっても下降端位置であっても、第１縦部材２２と第２縦部材２３との間に設定される。
【００６６】
（仮設足場の構築）
次に、上記のように構成された仮設足場用部材１０を使用して仮設足場を構築する場合について説明する。まず、図６に示すように橋桁部１０１の下方に仮設足場本体２を構築する。また、実施形態に係る仮設足場用部材１０の連結部材１４の水平方向の位置を所望の位置にしておく。このとき、雄ネジ部材１８を緩めておくとともに、クランプ部材２１を非クランプ状態としておく。これにより、可動部材１３及び下側可動管部材１７を水平方向に移動させることができるとともに、可動部材１３及び下側可動管部材１７の水平方向の移動に連動させて第２補強部材２０を揺動させることができる。連結部材１４の水平方向の位置を所望の位置にした後、雄ネジ部材１８を締め込むとともに、クランプ部材２１をクランプ状態にすることで連結部材１４が固定される。連結部材１４の位置は、作業床５を、高架橋１００の側壁部１０２から外側に離した所に形成することができるように設定する。
【００６７】
その後、図３に示すように、仮設足場本体２の上部における幅方向両側にそれぞれ実施形態に係る仮設足場用部材１０を連結する。このとき、仮設足場用部材１０の固定部材１２のクサビ１２ｂ、１５ｄをそれぞれ仮設足場本体２の本体側支柱４のクサビ差し込み部４ａに差し込む。さらに、クランプ部材２５により仮設足場本体２の本体側支柱４をクランプする。以上のようにして仮設足場用部材１０を仮設足場本体２に連結することができる。
【００６８】
次いで、図４に示すように、側部支柱６の下部を仮設足場用部材１０の連結部材１４に上方から差し込むことによって側部支柱６の下部を連結部材１４に連結する。側部支柱６には、床板５ａを支持するための床板支持部材７を連結する。床板支持部材７は、上下方向に複数設けることができる。床板支持部材７に床板５ａを載置することで作業床５が形成されて張り出し仮設足場３が構築される。
【００６９】
張り出し仮設足場３は、建築物等に合わせて構築することができ、仮設足場本体２の幅方向一方にのみ構築してもよい。
【００７０】
（実施形態の作用効果）
以上説明したように、この実施形態によれば、仮設足場用部材１０の横部材１１を仮設足場本体２の本体側支柱４に連結することで、横部材１１が仮設足場本体２から水平方向に延びるように設けられる。この横部材１１の先端部の連結部材１４には側部支柱６の下部が連結される。側部支柱６には、床板５ａを横部材１１から上方に離した状態で支持することができる。従って、仮設足場本体２から水平方向に張り出した作業床５を、仮設足場本体２よりも高いところに形成することが可能になるので、例えば高架橋１００の補修等を行う際には、仮設足場本体２の幅を拡張することなく、仮設足場用部材１０、側部支柱６及び床板５ａを使用して側壁部１０２の外面に対して作業可能な高さの作業床５が容易に得られる。
【００７１】
また、横部材１１を構成している固定部材１２を仮設足場本体２の本体側支柱４に連結すると、可動部材１３の先端部が固定部材１２の先端部から突出した状態になり、可動部材１３の先端部に側部支柱６の下部が連結部材１４を介して連結されることになる。可動部材１３は固定部材１２に対して水平方向に移動可能に取り付けられているので、可動部材１３を移動させることで連結部材６を水平方向に移動させることが可能になる。よって、作業床５の位置の設定自由度が向上する。
【００７２】
上述の実施形態はあらゆる点で単なる例示に過ぎず、限定的に解釈してはならない。さらに、特許請求の範囲の均等範囲に属する変形や変更は、全て本発明の範囲内のものである。
【００７３】
上記実施形態では、可動部材１３が固定部材１２に対して水平方向に移動するのを阻止する阻止部材として雄ネジ部材１８を使用しているが、これに限らず、クランプ部材やロックピン等であってもよい。
【００７４】
また、上記実施形態では、補強部材として第１縦部材２２と第２縦部材２３を設けているが、これに限らず、強度の要件を満たすのであれば、第１縦部材２２と第２縦部材２３の一方または両方を省略してもよい。
【産業上の利用可能性】
【００７５】
以上説明したように、本発明に係る仮設足場用部材は、例えば、各種建築物の建築現場や補修現場、土木作業現場等で構築される仮設足場を構成する場合に使用することができる。
【符号の説明】
【００７６】
１                  仮設足場
２                  仮設足場本体
３                  張り出し仮設足場
４                  本体側支柱
５                  作業床
５ａ                床板
６                  側部支柱
１０                仮設足場用部材
１１                横部材
１２                固定部材
１３                可動部材
１４                連結部材（連結部）
１５                第１補強部材
１６                下側固定管部材
１７                下側可動管部材
１８                雄ネジ部材
２０                第２補強部材
２１                クランプ部材
【手続補正２】
【補正対象書類名】特許請求の範囲
【補正対象項目名】全文
【補正方法】変更
【補正の内容】
【特許請求の範囲】
【請求項１】
仮設足場を構築する仮設足場用部材において、
仮設足場本体を構成する本体側支柱に連結され、該仮設足場本体から水平方向に延びるように設けられる横部材と、
上記横部材の先端部に設けられ、作業床となる床板を上記横部材から上方に離して支持可能な側部支柱の下部が連結される連結部とを備え、
上記横部材は、上記本体側支柱に連結されて上記仮設足場本体から水平方向に延びる管部材で構成された固定部材と、該固定部材に差し込まれる管部材で構成されるとともに該固定部材に対して水平方向に移動可能に取り付けられ、該固定部材の先端部から突出する可動部材とを備え、
上記可動部材における上記固定部材の先端部から突出する部分に上記連結部が固定され、
上記固定部材には、上下方向に延びる第１補強部材が固定され、
上記第１補強部材の下端部は、上記本体側支柱における上記固定部材の連結部位よりも下方の部位に連結され、
上記第１補強部材には、上記固定部材よりも下方に位置付けられるとともに、該固定部材と略平行に延びる下側固定管部材が固定され、
上記下側固定管部材に対して水平方向に移動可能に取り付けられ、該下側固定管部材の先端部から突出する下側可動管部材が設けられ、
上記下側可動管部材における上記下側固定管部材の先端部から突出する部分に上記連結部が固定されていることを特徴とする仮設足場用部材。
【請求項２】
請求項１に記載の仮設足場用部材において、
上記連結部は上下方向に延びる管部材で構成され、
上記連結部における上記可動部材の固定部位よりも下方の部位に上記下側可動管部材が固定されていることを特徴とする仮設足場用部材。
【請求項３】
請求項２に記載の仮設足場用部材において、
上記連結部における上記下側可動管部材の固定部位よりも下方の部位に上下方向に延びる第２補強部材が連結され、
上記第２補強部材の下端部は、上記第１補強部材に連結されることを特徴とする仮設足場用部材。
【請求項４】
請求項３に記載の仮設足場用部材において、
上記第２補強部材は、上記連結部に対して水平方向に延びる軸周りに揺動可能に連結され、
上記第２補強部材の下端部には、上記第１補強部材をクランプするクランプ部材が水平方向に延びる軸周りに揺動可能に連結されることを特徴とする仮設足場用部材。
【請求項５】
請求項１から４のいずれか１つに記載の仮設足場用部材において、
上記可動部材が上記固定部材に対して水平方向に移動するのを阻止する阻止部材を備えていることを特徴とする仮設足場用部材。
【請求項６】
請求項５に記載の仮設足場用部材において、
上記阻止部材は、上記固定部材に設けられたネジ孔に螺合することによって進退動作する雄ネジ部材で構成され、
上記雄ネジ部材は、進出状態で該雄ネジ部材の先端部が上記可動部材の外面に当接して該可動部材の水平方向の移動を阻止する一方、後退状態で該雄ネジ部材の先端部が上記可動部材の外面から離間して該可動部材の水平方向の移動を許容することを特徴とする仮設足場用部材。